(57)【特許請求の範囲】
【請求項１】
本体とは別体の別装置を本体に対し掛けた状態で懸吊するようにした電子機器の懸吊構造であって、
前記本体の両側部に設けた出没自在な支持部材と、
この支持部材上に掛けられるよう前記別装置の両側部に設けた掛け部材と、
この掛け部材を左右方向に位置規制しながら前記支持部材の所定位置上に掛けるよう前記支持部材に設けた左右位置規制部と、
を具備することを特徴とする電子機器の懸吊構造。
【請求項２】
前記掛け部材に、前記支持部材に対し前後方向に位置規制しながら掛ける前後位置規制部を設けたことを特徴とする請求項１記載の電子機器の懸吊構造。
【請求項３】
前記支持部材に、前記掛け部材を前記本体側から前記左右位置規制部へ向かうようにガイドするガイド部を設けたことを特徴とする請求項１または２記載の電子機器の懸吊構造。
【請求項４】
前記ガイド部は、円弧状のガイド面として形成されていることを特徴とする請求項３記載の電子機器の懸吊構造。
【発明の詳細な説明】
【０００１】
【発明の属する技術分野】
本発明は、本体とは別体にキーボード等の別装置を備える電子機器における別装置の本体に対する懸吊構造に関するものである。
【０００２】
【従来の技術】
ワープロやパソコンにおいて、不使用時には、キーボードを本体の表示部前面に掛けておくことが行われ、例えば、キーボードと本体との幅を揃えて、本体に設けた突部にキーボードのスタンド部を掛ける方式のものや、本体の左右両側部に回動式の係止片を出没自在に備え、その係止片を横に突出させた状態にして、キーボードのスタンド部を掛けるようにした方式のものもある。
【０００３】
【発明が解決しようとする課題】
しかし、本体の突部にキーボードのスタンド部を掛ける方式のものでは、例えば、デバイス等の変更によりキーボードと本体との幅が違ってしまった場合は、本体にキーボードを懸吊しておくことが不可能になってしまう。
また、本体の左右両側部の係止片を横に突出させてキーボードのスタンド部を掛ける方式のものでは、左右方向（幅方向）のズレを補正する手段がなく、左右何れかにおいて、係止片からスタンド部が外れてしまうことがある。
【０００４】
本発明の課題は、キーボード等の別装置を本体に備える電子機器における本体に対する別装置の懸吊構造において、本体に対する別装置の横方向のズレをなくして確実な懸吊状態が得られるようにすることである。
【０００５】
【課題を解決するための手段】
以上の課題を解決すべく請求項１記載の発明は、
例えば、パソコンやワープロ等、本体とは別体のキーボード等の別装置を本体に対し掛けた状態で懸吊するようにした電子機器の懸吊構造であって、
前記本体の両側部に設けた、例えば、回動操作等により出没自在な支持部材と、
この支持部材上に掛けられるよう前記別装置の両側部に設けた脚部材等の掛け部材と、
この掛け部材を左右方向に位置規制しながら前記支持部材の先端部等の所定位置上に掛けるよう前記支持部材に設けた左右位置規制部と、
を具備する構成を特徴としている。
【０００６】
ここで、電子機器としては、制御部及び表示部を備える本体に別装置としてのキーボードを組み合わせたパソコンやワープロが代表的であるが、他の本体と別装置の組み合わせによるものであっても良い。
そして、支持部材としては、回動式やスライド式により本体に出没自在としたものが挙げられるが、折り畳み式のものでも良い。
また、掛け部材としては、例えば、キーボードの場合には、スタンド部として機能する脚部材が挙げられるが、掛け部材専用でも良い。
さらに、左右位置規制部としては、支持部材に一体に形成したものでも、支持部材に別部材として一体化したものでも良く、また、支持部材に位置調整自在となるよう別部材としてスライド式に組み付けたものでも良い。
【０００７】
以上のように、請求項１記載の発明によれば、本体の両側部に出没自在な支持部材を設ける一方、この支持部材上に掛ける掛け部材を別装置の両側部に設けて、この掛け部材を左右方向に位置規制しながら支持部材の所定位置上に掛ける左右位置規制部を支持部材に設けた電子機器の懸吊構造なので、本体の両側部に突出させた支持部材に、別装置の両側部の掛け部材を掛ける際、支持部材の左右位置規制部により掛け部材が左右方向に位置規制されながら支持部材の所定位置上に掛けられることによって、本体に対する別装置の横方向のズレがない確実な懸吊状態が得られる。
なお、不使用時には、支持部材が本体に没入状態になる。
【０００８】
そして、請求項２記載の発明は、
請求項１記載の電子機器の懸吊構造であって、
前記掛け部材に、前記支持部材に対し前後方向に位置規制しながら掛ける、例えば、係合溝等による前後位置規制部を設けた構成を特徴としている。
例えば、前後位置規制部としては、掛け部材の内側面に形成した係合溝が挙げられるが、支持部材の前後に位置するように設けた係合突部や他の構成のものでも良い。
【０００９】
このように、請求項２記載の発明によれば、請求項１記載の掛け部材に、支持部材に対し前後方向に位置規制しながら掛ける前後位置規制部を設けたので、本体の支持部材に別装置の掛け部材を掛ける際には、掛け部材が前後位置規制部により前後方向にも位置規制されながら支持部材の所定位置上に掛けられることによって、本体に対する別装置の前後方向のズレもない確実な懸吊状態が得られる。
【００１０】
さらに、請求項３記載の発明は、
請求項１または２記載の電子機器の懸吊構造であって、
前記支持部材に、前記掛け部材を前記本体側から前記左右位置規制部へ向かうようにガイドするガイド部を設けた構成を特徴としている。
例えば、ガイド部は、前記左右位置規制部を一体的に有するもので、支持部材に一体に形成したものでも、支持部材に別部材として一体化したものでも良く、また、支持部材に位置調整自在となるよう別部材としてスライド式に組み付けたものでも良い。
【００１１】
このように、請求項３記載の発明によれば、請求項１または２記載の支持部材に、掛け部材を本体側から左右位置規制部へ向かうようにガイドするガイド部を設けたので、本体の支持部材に別装置の掛け部材を掛ける際において、掛け部材がガイド部により本体側から左右位置規制部へガイドされてから、支持部材の左右位置規制部により掛け部材が左右方向に位置規制されながら支持部材上に掛けられる。
【００１２】
また、請求項４記載の発明は、
請求項３記載の電子機器の懸吊構造であって、
前記ガイド部は、円弧状のガイド面として形成されている構成を特徴としている。
【００１３】
このように、請求項４記載の発明によれば、請求項３記載のガイド部が、円弧状のガイド面として形成されているので、本体の支持部材に別装置の掛け部材を掛ける際において、掛け部材が円弧状のガイド面によりゆっくりと本体側から左右位置規制部へ滑らかにガイドされる。
【００１４】
【発明の実施の形態】
以下に、本発明に係る電子機器の懸吊構造の実施の各形態例を図１から図９に基づいて説明する。
【００１５】
＜第１の実施の形態例＞
先ず、図１は本発明を適用した電子機器の一例としてのパソコンを斜め後ろ側から見た概略斜視図で、図２はそのパソコンの概略側面図、図３は同パソコンの概略正面図、図４は同パソコンにおける本体側に備える表示部を示す要部横断平面図である。なお、図５は図３の本体側に備える支持部材部分の拡大図である。
これらの図１から図５において、１はパソコン本体、２は本体ケース、３は表示部ケース、４は表示画面（表示部）、５は液晶表示パネル、６はキーボード（別装置）、７は脚部材（掛け部材）、８は支持部材出没穴、９は窪み部、１１は扇状フック（支持部材）、１２は支軸、１３は支持突起（支持部）、１４は円弧状ガイド面（ガイド部）、１５は左右位置規制部、１６はストッパー突起、１７、１８はストッパー部材、１９は係合溝（前後位置規制部）である。
【００１６】
この実施の形態例において、本発明を適用した電子機器は、図１から図３に示すように、パソコンであり、そのパソコン本体１は、縦型の本体ケース２と表示部ケース３からなる。
先ず、縦型の本体ケース２の前面に組み付けられた表示部ケース３は、前面に表示部である表示画面４を備えるもので、図４に示すように、液晶表示パネル５が内蔵されるとともに、図略のバックライト装置等が内蔵されている。
また、以上のパソコン本体１とは別体の別装置としてキーボード６が備えられ、このキーボード６は、その左右両側部の後部寄りに掛け部材としても機能する脚部材７、７を左右対称に有している。この脚部材７、７によってキーボード６は所定角度で図示しないデスク上に置かれた状態となる。
なお、この実施の形態例では、図３に示すように、パソコン本体１（本体ケース２及び表示部ケース３）の幅よりもキーボード６の幅が大きく設定されている。
【００１７】
以上のパソコンにおいて、パソコン本体１の本体ケース２前面に組み付けられた表示部ケース３には、その左右両側面の中央部から若干下側に支持部材出没穴８、８が左右対称に形成されるとともに、その支持部材出没穴８の下部側は、図１、図４及び図５に示すように、窪み部９に開口している。
そして、このような表示ケース３の左右両側部には、その各々の支持部材出没穴８、８からそれぞれ出没自在な支持部材である扇状フック１１、１１が組み込まれている。この扇状フック１１は、図４及び図５に示されるように、中心角がほぼ直角な扇形の板材からなるもので、下部寄りの支軸１２を支点として回動自在となっている。この支軸１２は、窪み部９の上方側に位置している。
この扇状フック１１の支持部材出没穴８から外部に突出状態での先端部に、支持部である支持突起１３が形成されている。さらに、この支持突起１３から上方にガイド部としての円弧状ガイド面１４が形成されていて、この円弧状ガイド面１４の支持突起１３からの立ち上がり面が、キーボード６の脚部材７の内側面に対する左右位置規制部１５となっている。
【００１８】
また、円弧状ガイド面１４の支持突起１３と反対側の端部寄りにはストッパー突起１６が形成されている。このストッパー突起１６は、図４に示したように、扇状フック１１から前方に突出しており、表示部ケース３の前面板の裏面には、ストッパー突起１６が突き当たる２個のストッパー部材１７、１８が突設されている。
即ち、扇状フック１１を支持部材出没穴８に没入させた状態でストッパー突起１６が上方から突き当たるストッパー部材１７と、扇状フック１１を支持部材出没穴８から突出させた状態でストッパー突起１６が内側から突き当たるストッパー部材１８が、表示部ケース３の前面板裏面に突出して形成されている。
【００１９】
そして、キーボード６の脚部材７の内側面には、図２及び図３に示したように、扇状フック１１の支持突起１３が係合する係合溝１９が形成されている。
即ち、パソコン本体１の本体ケース２前面の表示部ケース３両側面の支持部材出没穴８から突出状態の扇状フック１１の支持突起１３が下方から係合して脚部材７を掛けた状態が得られると同時に、脚部材７自体の前後位置規制部としても機能する係合溝１９が、キーボード６の底面と平行するようにして脚部材７の内側面に形成されている。
以上において、パソコンの使用時、即ち、キーボード６の使用時は、パソコン本体１の本体ケース２前面の表示部ケース３の左右両側面の支持部材出没穴８、８に各々の扇状フック１１、１１がそれぞれ没入状態となっている。この時、扇状フック１１のストッパー突起１６がストッパー部材１７に上方から突き当たった状態となっている。
【００２０】
次に、以上のキーボード６をパソコン本体１に掛けて懸吊する仕方を説明する。
即ち、パソコン本体１の表示部ケース３にキーボード６を懸吊する際は、予め、表示部ケース３の左右両側面の支持部材出没穴８、８の下方側の窪み部９、９において、没入状態の左右の扇状フック１１、１１の支軸１２、１２よりも下方側部分を手指で各々押す。
これにより、左右の扇状フック１１、１１の支軸１２、１２よりも上方側部分が各々の支持部材出没穴８、８からそれぞれ飛び出し、その飛び出した部分を手指でつまんで左右の扇状フック１１、１１を各々の支軸１２、１２を支点としてそれぞれ回動することによって、各々の扇状フック１１、１１をともに外部へ突出状態としておく。この時、扇状フック１１のストッパー突起１６がストッパー部材１８に内側から突き当たった状態となっている。
【００２１】
そして、キーボード６を両手で持って、その底面側を表示部ケース３の前面側に沿わせながら、キーボード６の左右の脚部材７、７を表示部ケース３の左右両側面に突出状態の扇状フック１１、１１の部分まで降ろす。
この過程で、キーボード６の左右の脚部材７、７の内側面が、表示部ケース３の左右の扇状フック１１、１１の円弧状ガイド面１４、１４との接触により滑らかにゆっくりと下方の左右位置規制部１５、１５へ各々ガイドされる。
これとともに、各々の左右位置規制部１５、１５の下方の支持突起１３、１３が、脚部材７、７の内側面の係合溝１９、１９にそれぞれ係合して、左右の支持突起１３、１３に各々の係合溝１９、１９を介して脚部材７、７がそれぞれ掛けられた状態になる。
こうしてパソコン本体１の表示部ケース３にキーボード６を懸吊した状態が得られ、この懸吊状態で、表示部ケース３の左右の扇状フック１１、１１の左右位置規制部１５、１５によって、キーボード６の左右の脚部材７、７が左右位置を規制されるとともに、その左右の脚部材７、７の係合溝１９、１９によって、左右の扇状フック１１、１１の支持突起１３、１３に対する前後位置が規制されるので、脱落することのない良好で確実な懸吊状態を維持できる。
【００２２】
＜変形例＞
図６は支持部材部分の変形例（１）を示すもので、図５と同様の部分を示した図である。
この図６において、前述した実施の形態例と同様に、３は表示部ケース、６はキーボード、７は脚部材、８は支持部材出没穴で、２１は扇状フック（支持部材）、２２は支軸、２３は支持突起（支持部）、２４は円弧状ガイド面（ガイド部）、２５は左右位置規制部、２７はストッパー部材、２９は係合溝（前後位置規制部）である。
この支持部材部分の変形例（１）においては、支持部材出没穴８に前記窪み部９を設けずに、表示部ケース３内に一つのストッパー部材２７だけを設けて、扇状フック２１に前記ストッパー突起１６のようなものを設けない点が、前述した実施の形態例と相違している。
【００２３】
即ち、この変形例（１）では、図示のように、表示部ケース３の内部で支持部材出没穴８の奥に、前述した実施の形態例と同様の支持突起２３、円弧状ガイド面２４及び左右位置規制部２５を有する扇状フック２１を支軸２２により回動自在に組み付けている。
そして、表示ケース３の内部には、扇状フック２１の支持突起２３と反対側の端面が上方から突き当たるストッパー部材２７が設けられている。
また、脚部材７の係合溝２９は、図示例では、内外に貫通タイプのものとなっている。
このような変形例（１）の支持部材部分の構成によっても、前述した実施の形態例と同様の作用効果が得られる。
【００２４】
図７は支持部材部分の変形例（２）を示すもので、図５と同様の部分を示した図であり、図８はその支持部材部分の詳細を示すもので、図８（ａ）は同支持部材部分を示した平面図、図８（ｂ）は同支持部材の縦断面図である。
これらの図７及び図８において、前述した実施の形態例と同様に、３は表示部ケース、６はキーボード、７は脚部材、８は支持部材出没穴で、３１は支持ピン（支持部材）、３２は支軸、３３は先端支持部、３４は円弧状ガイド面（ガイド部）、３５は左右位置規制部、３７はストッパー部材、３９は係合溝（前後位置規制部）、４１はガイド穴、４２はスライドピン、４３はスプリング部材、４４は調整摘みである。
この支持部材部分の変形例（２）においては、変形例（１）と同様に、支持部材出没穴８に前記窪み部９を設けずに、表示部ケース３内に一つのストッパー部材３７だけを設けて、支持部材３１に前記ストッパー突起１６のようなものを設けない点に加えて、支持部材３１にガイド部３４をスライド式とした点が、前述した実施の形態例と相違している。
【００２５】
即ち、この変形例（２）では、図７に示したように、表示部ケース３の内部で支持部材出没穴８の奥に、支持部材としての支持ピン３１を支軸３２により回動自在に組み付けている。
そして、表示ケース３の内部には、支持ピン３１の先端支持部３３が上方から突き当たるストッパー部材３７が設けられている。
また、脚部材７の係合溝３９は、図示例では、内外に貫通タイプのものとなっている。
さらに、支持ピン３１上には、先端支持部３３側を左右位置規制部３５とした円弧状ガイド面を有するガイド部３４が別部材としてスライド自在に組み付けられている。
【００２６】
具体的には、図８（ａ）及び（ｂ）にも示したように、表示部ケース３から突出状態の支持ピン３１に上下方向に貫通する長穴によるガイド穴４１を形成して、その上に配置したガイド部３４から下方に突出したスライドピン４２をガイド穴４１に貫通して、このスライドピン４２の下部に引っ張りコイル型のスプリング部材４３を介して調整摘み４４を組み付けている。
従って、常時はスプリング部材４３の引っ張り力によって、ガイド部３４及び調整摘み４４が支持ピン３１を上下から挟み込むことで、支持ピン３１上に対するガイド部３４の固定状態が得られる。
そして、この調整摘み４４を手指で摘んでスプリング部材４３の引っ張り力に抗して引き下げることで、支持ピン３１に対する固定状態が解除されて、ガイド穴４１をスライドピン４２がスライド自在となり、ガイド部３４の左右方向の位置調整が適宜に行える。
以上のような変形例（２）の支持部材部分の構成によっても、前述した実施の形態例と同様の作用効果が得られることに加えて、左右の支持部材３１、３１上のガイド部（円弧状ガイド面）３４、３４の位置調整に対応できるといった利点も得られる。
【００２７】
図９は支持部材部分の変形例（３）を示すもので、図５と同様の部分を示した図である。
この図９において、前述した実施の形態例と同様に、３は表示部ケース、６はキーボード、７は脚部材、８は支持部材出没穴で、５１は扇状フック（支持部材）、５３は支持突起（支持部）、５４は円弧状ガイド面（ガイド部）、５５は左右位置規制部、５６はストッパー突起、５９は係合溝（前後位置規制部）、６１はガイドレール、６２ガイド穴である。
この支持部材部分の変形例（３）においては、支持部材出没穴８に前記窪み部９を、表示部ケース３内に前記二つのストッパー部材１７、１８を、支持部材３１に前記ストッパー突起１６のようなものをそれぞれ設けない点に加えて、扇状フック５１をスライド式とした点が、前述した実施の形態例と相違している。
【００２８】
即ち、この変形例（３）では、図示のように、表示部ケース３の支持部材出没穴８において、前述した実施の形態例と同様の支持突起５３、円弧状ガイド面５４及び左右位置規制部５５を有する扇状フック５１をスライド自在に組み付けている。
そして、表示ケース３の内部には、支持部材出没穴８に連続して扇状フック５１を収納自在とするハウジング状のガイドレール６１が形成されており、このガイドレール６１の下面にはガイド穴６２が形成されている。このガイド穴６２に、扇状フック５１のストッパー突部５６がスライド自在となっている。
従って、扇状フック５を手指で摘んで支持部材出没穴８からの突出量を適宜に調整できる。
以上のような変形例（３）の支持部材部分の構成によっても、前述した実施の形態例と同様の作用効果が得られることに加えて、左右の扇状フック５１、５１の位置調整に対応できるといった利点も得られる。
【００２９】
なお、以上の実施の各形態例においては、電子機器として、制御部及び表示部を備える本体に別装置としてのキーボードを組み合わせたパソコンとしたが、本発明はこれに限定されるものではなく、本体にのキーボードを懸吊するワープロでも良く、さらに、他の本体と別装置の組み合わせによるものであっても良い。また、本体、別装置、支持部材、掛け部材、位置規制部の構成等も任意であり、その他、具体的な細部構造等についても適宜に変更可能であることは勿論である。
【００３０】
【発明の効果】
以上のように、請求項１記載の発明に係る電子機器の懸吊構造によれば、本体の両側部に突出させた支持部材に、別装置の両側部の掛け部材を掛ける際、支持部材の左右位置規制部により掛け部材を左右方向に位置規制しながら支持部材の所定位置上に掛けられるため、本体に対する別装置の横方向のズレがない確実な懸吊状態を得ることができる。
なお、不使用時には、支持部材が本体に没入状態になって、外観が優れるといった利点も得られる。
【００３１】
そして、請求項２記載の発明に係る電子機器の懸吊構造によれば、掛け部材を前後位置規制部により前後方向にも位置規制しながら支持部材の所定位置上に掛けられるため、請求項１記載の発明により得られる効果に加えて、本体に対する別装置の前後方向のズレもない確実な懸吊状態を得ることができるといった利点が得られる。
【００３２】
さらに、請求項３記載の発明に係る電子機器の懸吊構造によれば、本体の支持部材に別装置の掛け部材を掛ける際において、請求項１または２記載の発明により得られる効果に加えて、掛け部材をガイド部により本体側から左右位置規制部へガイドしてから、支持部材の左右位置規制部により掛け部材を左右方向に位置規制しながら支持部材上に掛けることができるといった利点が得られる。
【００３３】
また、請求項４記載の発明に係る電子機器の懸吊構造によれば、本体の支持部材に別装置の掛け部材を掛ける際において、請求項３記載の発明により得られる効果に加えて、掛け部材を円弧状のガイド面によりゆっくりと本体側から左右位置規制部へ滑らかにガイドさせることができるといった利点が得られる。
【図面の簡単な説明】
【図１】本発明を適用した電子機器の一例としてのパソコンを斜め後ろ側から見た概略斜視図である。
【図２】図１のパソコンの概略側面図である。
【図３】図１のパソコンの概略正面図である。
【図４】図１のパソコンにおける本体側に備える表示部を示す要部横断平面図である。
【図５】図３の本体側に備える支持部材部分の拡大図である。
【図６】支持部材部分の変形例（１）を示すもので、図５と同様の部分を示した図である。
【図７】支持部材部分の変形例（２）を示すもので、図５と同様の部分を示した図である。
【図８】図７の支持部材部分の詳細を示すもので、（ａ）は図７の支持部材部分を示した平面図、（ｂ）は図７の支持部材の縦断面図である。
【図９】支持部材部分の変形例（３）を示すもので、図５と同様の部分を示した図である。
【符号の説明】
１  本体
４  表示部
６  別装置
７  掛け部材
８  支持部材出没穴
９  窪み部
１１、２１、３１、５１  支持部材
１２、２２、３２  支軸
１３、２３、３３、５２  支持部
１４、２４、３４、５４  円弧状ガイド面（ガイド部）
１５、２５、３５、５５  左右位置規制部
１９、２９、３９、５９  前後位置規制部
４１、６２  ガイド穴
４２  スライドピン
４３  スプリング部材
４４  調整摘み
６１  ガイドレール
【図１】
0003687284.tif 000002
【図２】
0003687284.tif 000003
【図３】
0003687284.tif 000004
【図４】
0003687284.tif 000005
【図５】
0003687284.tif 000006
【図６】
0003687284.tif 000007
【図７】
0003687284.tif 000008
【図８】
0003687284.tif 000009
【図９】
0003687284.tif 000010